(57)【要約】【課題】バッテリターミナルを介してバッテリのバッテリポストに接続されるバッテリ直付け型ヒューズユニットがバッテリ側面に干渉することを防止することのできるヒューズユニット取付構造を提供すること。【解決手段】バッテリ直付け型ヒューズユニット３０に取り付けられるヒューズブラケット４０と、ヒューズブラケット４０をバッテリ１０に結合するブラケット結合部材５０と、を備え、ヒューズブラケット４０は、バッテリ直付け型ヒューズユニット３０をバッテリ１０の側面１６と直交する方向に移動可能に支持するユニット支持部４１と、バッテリ１０の側面１６に沿う方向に移動可能にブラケット結合部材５０と係合する結合部材係合部４２と、を備える。【選択図】図２
2015060810.tif 000002
【特許請求の範囲】
【請求項１】
バッテリのバッテリポストに締結されるバッテリターミナルに結合されてその一部が前記バッテリの側面側に配置されるバッテリ直付け型ヒューズユニットに取り付けられるヒューズブラケットと、前記ヒューズブラケットを前記バッテリに結合するブラケット結合部材と、を備え、
前記ヒューズブラケットは、前記バッテリ直付け型ヒューズユニットを前記バッテリの前記側面と直交する方向に移動可能に支持するユニット支持部と、前記バッテリの前記側面に沿う方向に移動可能に前記ブラケット結合部材と係合する結合部材係合部と、を備え、
前記ブラケット結合部材は、前記結合部材係合部と係合して前記ヒューズブラケットを前記バッテリの前記側面に沿う方向に移動可能に支持するガイド板部と、前記バッテリポストが配置される前記バッテリのポスト配置部の周縁のバッテリ上面の凹凸に係合して前記バッテリ上面の面に沿う方向の移動が規制されるバッテリ結合部と、を備える
ことを特徴とするヒューズユニット取付構造。
【請求項２】
前記バッテリ上面の前記凹凸は、前記バッテリポストの上を覆うポストカバーの取り付けのために前記バッテリ上面に既設の取付孔であることを特徴とする請求項１に記載のヒューズユニット取付構造。
【請求項３】
前記ユニット支持部は、前記バッテリターミナルに結合される前記バッテリ直付け型ヒューズユニットのターミナル接続部の両側が前記バッテリの前記側面と直交する方向に摺動可能に係合する一対の第１ガイド溝であり、
前記結合部材係合部は、前記ブラケット結合部材に突設されたガイド板部が、前記バッテリの前記側面に沿う方向に摺動可能に係合する一対の第２ガイド溝であることを特徴とする請求項１又は２に記載のヒューズユニット取付構造。
【発明の詳細な説明】
【技術分野】
【０００１】
本発明は、バッテリターミナルを介してバッテリのバッテリポストに接続されるバッテリ直付け型ヒューズユニットをバッテリに固定するヒューズユニット取付構造に関する。
【背景技術】
【０００２】
図１５は、下記特許文献１に開示されたバッテリ直付け型ヒューズユニットのバッテリへの取付構造を示している。また、図１６は特許文献１と同様のバッテリ直付け型ヒューズユニットのバッテリへの取付構造を示している。
【０００３】
図１５及び図１６において、符号１１０はバッテリ２００のバッテリポスト２１０に締結されるバッテリターミナルであり、符号１２０はバッテリ直付け型ヒューズユニットである。
【０００４】
バッテリターミナル１１０は、図１６に示すように、バッテリポスト２１０に締結されるポスト締結部１１１と、バッテリ直付け型ヒューズユニット１２０をねじ止めするヒューズユニット取付部１１２とを備えている。
【０００５】
ポスト締結部１１１は、バッテリポスト２１０が挿通するポスト挿通孔１１１ａと、該ポスト挿通孔１１１ａの一部を切り離した構造にするすり割り部１１１ｂと、すり割り部１１１ｂの間隔が狭まるように締め付けて当該ポスト締結部１１１をバッテリポスト２１０に固定する締結ねじ１１１ｃと、を備えた構造である。
【０００６】
ヒューズユニット取付部１１２は、ポスト締結部１１１と一体の導通板部１１２ａに、スタッドボルト１１２ｂを立設したものである。スタッドボルト１１２ｂは、その中心軸線Ｃ１の延在方向が、ポスト締結部１１１のポスト挿通孔１１１ａの中心軸線Ｃ２の方向と平行となるように、設けられている。
【０００７】
図１７は、バッテリターミナル１１０が、正常な取り付け向きでバッテリ２００のバッテリポスト２１０に取り付けられた状態を示している。バッテリターミナル１１０の正常な取り付け向きとは、図１７に示すように、ポスト挿通孔１１１ａの中心とスタッドボルト１１２ｂの中心とを結ぶ直線Ｌ１が、バッテリ２００の側面２０１と直交する向きである。
【０００８】
バッテリ直付け型ヒューズユニット１２０は、ヒューズユニット取付部１１２に締結されて、バッテリターミナル１１０を介してバッテリポスト２１０に導通接続されるターミナル接続導体１２１ａを有したターミナル接続部１２１と、ターミナル接続導体１２１ａに分岐接続される複数の接続端子やヒューズを収容する樹脂製ハウジング１２２と、を備えている。
【０００９】
樹脂製ハウジング１２２において、符号１２２ａで示した部位は、ターミナル接続導体１２１ａに分岐接続される複数の接続端子を収容した端子収容部である。端子収容部１２２ａに収容される接続端子には、バッテリ２００から給電を受ける電線が接続される。また、符号１２２ｂで示した部位は、ターミナル接続導体１２１ａと接続端子との間に装備される複数のヒューズを収容した部位である。
【００１０】
複数のヒューズ及び接続端子を収容した樹脂製ハウジング１２２は、ターミナル接続導体１２１ａの端部から垂直に垂れた形状に装備されている。樹脂製ハウジング１２２は、図１７に示したように、正常な取り付け向きでバッテリポスト２１０に取り付けられたバッテリターミナル１１０にバッテリ直付け型ヒューズユニット１２０が適正に取り付けられたとき、バッテリ２００の側面２０１に沿って配置されて、バッテリ２００からの出っ張りを低減させる。
【先行技術文献】
【特許文献】
【００１１】
【特許文献１】特開２００８−１５５７４６号公報
【発明の概要】
【発明が解決しようとする課題】
【００１２】
ところが、特許文献１や図１６に示した取付構造では、図１８に示すように、バッテリターミナル１１０の取り付け向きが正常な取り付け向きから角度θだけ傾いたときに、バッテリ直付け型ヒューズユニット１２０の樹脂製ハウジング１２２がバッテリ２００の側面２０１に干渉して、バッテリ直付け型ヒューズユニット１２０の破損を招くおそれがあった。
【００１３】
このような不都合を防止する対応として、バッテリ直付け型ヒューズユニット１２０がバッテリ２００と干渉しないように、バッテリターミナル１１０の構造自体、或いはバッテリ直付け型ヒューズユニット１２０の構造自体を改良することが考えられる。しかし、このような対応では、バッテリターミナルやバッテリ直付け型ヒューズユニットを新規に設計し直さなければならず、旧製品については、干渉防止を図ることができないという問題があった。
【００１４】
そこで、本発明の目的は、上記課題を解消することに係り、バッテリターミナルを介してバッテリのバッテリポストに接続されるバッテリ直付け型ヒューズユニットを、既存のバッテリターミナルやバッテリ直付け型ヒューズユニットの構造を変更せずとも、バッテリ側面に干渉することを防止することのできるヒューズユニット取付構造を提供することにある。
【課題を解決するための手段】
【００１５】
本発明の前述した目的は、下記の構成により達成される。
（１）  バッテリのバッテリポストに締結されるバッテリターミナルに結合されてその一部が前記バッテリの側面側に配置されるバッテリ直付け型ヒューズユニットに取り付けられるヒューズブラケットと、前記ヒューズブラケットを前記バッテリに結合するブラケット結合部材と、を備え、
前記ヒューズブラケットは、前記バッテリ直付け型ヒューズユニットを前記バッテリの前記側面と直交する方向に移動可能に支持するユニット支持部と、前記バッテリの前記側面に沿う方向に移動可能に前記ブラケット結合部材と係合する結合部材係合部と、を備え、
前記ブラケット結合部材は、前記結合部材係合部と係合して前記ヒューズブラケットを前記バッテリの前記側面に沿う方向に移動可能に支持するガイド板部と、前記バッテリポストが配置される前記バッテリのポスト配置部の周縁のバッテリ上面の凹凸に係合して前記バッテリ上面の面に沿う方向の移動が規制されるバッテリ結合部と、を備える
ことを特徴とするヒューズユニット取付構造。
【００１６】
（２）  前記バッテリ上面の前記凹凸は、前記バッテリポストの上を覆うポストカバーの取り付けのために前記バッテリ上面に既設の取付孔であることを特徴とする上記（１）に記載のヒューズユニット取付構造。
【００１７】
（３）  前記ユニット支持部は、前記バッテリターミナルに結合される前記バッテリ直付け型ヒューズユニットのターミナル接続部の両側が前記バッテリの前記側面と直交する方向に摺動可能に係合する一対の第１ガイド溝であり、
前記結合部材係合部は、前記ブラケット結合部材に突設されたガイド板部が、前記バッテリの前記側面に沿う方向に摺動可能に係合する一対の第２ガイド溝であることを特徴とする上記（１）又は（２）に記載のヒューズユニット取付構造。
【００１８】
上記（１）の構成によれば、バッテリターミナルに結合されるバッテリ直付け型ヒューズユニットは、該バッテリ直付け型ヒューズユニットに取り付けられるヒューズブラケットと、該ヒューズブラケットを前記バッテリに結合するブラケット結合部材とによって、バッテリに位置決めされる。そして、上記（１）の構成によれば、バッテリターミナルの取り付け向きが正常な取り付け向きから傾きを生じた状態になるとき、バッテリターミナルに接続されているバッテリ直付け型ヒューズユニットの移動は、ヒューズブラケットのユニット支持部とバッテリ直付け型ヒューズユニットとの係合、及びブラケット結合部材のガイド板部とヒューズブラケットとの係合、によって移動方向が規制される。
【００１９】
そのため、バッテリターミナルの傾きに伴うバッテリ直付け型ヒューズユニットの移動動作は、バッテリの側面に対して、バッテリターミナルの取り付け向きが正常なときと同じ取り付け姿勢のまま、平行移動する動作になり、バッテリ直付け型ヒューズユニットがバッテリの側面に干渉することが防止される。従って、バッテリの側面との干渉でバッテリ直付け型ヒューズユニットが破損することを防止することができる。
【００２０】
また、上記（１）の構成によれば、バッテリに対するバッテリ直付け型ヒューズユニットの位置決めを、バッテリ直付け型ヒューズユニットに取り付けられるヒューズブラケットと、該ヒューズブラケットをバッテリに結合するブラケット結合部材と、で行っており、バッテリ直付け型ヒューズユニット自体、或いはバッテリターミナル自体は、特に構造を変更せずに済む。従って、バッテリターミナルやバッテリ直付け型ヒューズユニットを新規に設計し直す必要がなく、バッテリに対するバッテリ直付け型ヒューズユニットの干渉防止を，安価に実現することができる。
【００２１】
上記（２）の構成によれば、ブラケット結合部材が係合するバッテリ上面の凹凸は、バッテリポストの上を覆うポストカバーの取り付けのために従来よりバッテリ上面に装備されている取付孔である。即ち、ブラケット結合部材の取り付けのために、バッテリに専用の係合構造を形成する必要がなく、既存のバッテリに対して、何ら改造せずとも、本発明のヒューズユニット取付構造を適用して、バッテリ直付け型ヒューズユニットの干渉防止を図ることができる。
【００２２】
上記（３）の構成によれば、ヒューズブラケットに装備されるユニット支持部及び結合部材係合部は、いずれも、一対のガイド溝で構成される単純な構造であり、ヒューズブラケットの構造の単純化を図ることができる。
【発明の効果】
【００２３】
本発明によるヒューズユニット取付構造によれば、既存のターミナルやバッテリ直付け型ヒューズユニットの構造を変更せずとも、バッテリターミナルを介してバッテリのバッテリポストに接続されるバッテリ直付け型ヒューズユニットがバッテリ側面に干渉することを防止することができる。
【００２４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２５】
【図１】図１は本発明に係るヒューズユニット取付構造の一実施形態の斜視図である。
【図２】図２は図１に示したヒューズユニット取付構造の分解斜視図である。
【図３】図３は図２に示したバッテリ直付け型ヒューズユニットのターミナル接続部の裏面側の構造示す拡大斜視図である。
【図４】図４は図２に示したヒューズブラケットのＡ矢視図である。
【図５】図５は図２に示したヒューズブラケットのＢ矢視図である。
【図６】図６は図１は図２に示したブラケット結合部材の下面側から視た斜視図である。
【図７】図７は図２に示したブラケット結合部材のＣ矢視図である。
【図８】図８は図２に示したバッテリ直付け型ヒューズユニットのターミナル接続部とヒューズブラケットのユニット支持部との係合状態を示す拡大斜視図である。
【図９】図９は図２に示したヒューズブラケットとブラケット結合部材との係合状態を示す斜視図である。
【図１０】図１０は図２に示したブラケット結合部材のバッテリへの取り付け構造を示す斜視図である。
【図１１】図１１は図２に示したバッテリ直付け型ヒューズユニットのターミナル接続部とバッテリターミナルとの接続状態の説明図である。
【図１２】図１２は本発明の一実施形態のヒューズユニット取付構造において、バッテリターミナルの取り付け向きが正常な場合の平面図である。
【図１３】図１３は本発明の一実施形態のヒューズユニット取付構造において、バッテリターミナルの取り付け向きが正常な向きから所定角度だけ傾いた状態の平面図である。
【図１４】図１４は図１３に示した取り付け状態の斜視図である。
【図１５】図１５は従来のヒューズユニット取付構造の斜視図である。
【図１６】図１６は図１５と同様の取付構造でバッテリポストに接続されるバッテリターミナル及びバッテリ直付け型ヒューズユニットの分解斜視図である。
【図１７】図１７は図１６に示したヒューズユニット取付構造で、バッテリターミナルが、正常な取り付け向きでバッテリに取り付けられている状態を示す平面図である。
【図１８】図１８は図１６に示したヒューズユニット取付構造で、バッテリターミナルの取り付け向きが、正常な取り付け向きから傾いた状態の平面図である。
【発明を実施するための形態】
【００２６】
以下、本発明に係るヒューズユニット取付構造の好適な実施形態について、図面を参照して詳細に説明する。
【００２７】
図１〜図１４は本発明に係るヒューズユニット取付構造の一実施形態を示したもので、図１は本発明に係るヒューズユニット取付構造の一実施形態の斜視図、図２は図１に示したヒューズユニット取付構造の分解斜視図、図３は図２に示したバッテリ直付け型ヒューズユニットのターミナル接続部の裏面側の構造示す拡大斜視図、図４は図２に示したヒューズブラケットのＡ矢視図、図５は図２に示したヒューズブラケットのＢ矢視図、図６は図２に示したブラケット結合部材の下面側から視た斜視図、図７は図２に示したブラケット結合部材のＣ矢視図、図８は図２に示したバッテリ直付け型ヒューズユニットのターミナル接続部とヒューズブラケットのユニット支持部との係合状態を示す拡大斜視図、図９は図２に示したヒューズブラケットとブラケット結合部材との係合状態を示す斜視図、図１０は図２に示したブラケット結合部材のバッテリへの取り付け構造を示す斜視図、図１１は図２に示したバッテリ直付け型ヒューズユニットのターミナル接続部とバッテリターミナルとの接続状態の説明図、図１２は本発明の一実施形態のヒューズユニット取付構造において、バッテリターミナルの取り付け向きが正常な場合の平面図、図１３は本発明の一実施形態のヒューズユニット取付構造において、バッテリターミナルの取り付け向きが正常な向きから所定角度だけ傾いた状態の平面図、図１４は図１３に示した取り付け状態の斜視図である。
【００２８】
この一実施形態のヒューズユニット取付構造は、バッテリ１０のバッテリポスト１２に、バッテリターミナル２０を介してバッテリ直付け型ヒューズユニット３０を接続する際に、バッテリ１０に対するバッテリ直付け型ヒューズユニット３０の位置を規制するものである。この一実施形態のヒューズユニット取付構造では、ヒューズブラケット４０とブラケット結合部材５０の二つの部品によって、バッテリ直付け型ヒューズユニット３０の取り付け位置を規制する。
【００２９】
バッテリポスト１２は、バッテリ１０に装備される柱状の電極で、バッテリ１０の上面の隅部のポスト配置部１１に、配置される。ポスト配置部１１は、バッテリポスト１２に締結するバッテリターミナル２０のバッテリ上面１３側への突出を抑えるために、バッテリ上面１３よりも一段下がった位置に装備されている。
【００３０】
前記ポスト配置部１１の周縁のバッテリ上面１３には、ブラケット結合部材５０のバッテリ結合部５２と係合する凹凸としての一対の取付孔１５が装備されている。この一対の取付孔１５は、バッテリポスト１２の上を覆うポストカバー（不図示）の取り付けのために、従来よりバッテリ上面１３に装備されているカバー取付孔である。即ち、本実施形態では、ポストカバーの取付用の既設の取付孔１５が、ブラケット結合部材５０の係合に利用される。
【００３１】
バッテリターミナル２０は、図１及び図２に示すように、バッテリポスト１２に締結されるポスト締結部２１と、バッテリ直付け型ヒューズユニット３０をねじ止めするヒューズユニット取付部２２とを備えている。
【００３２】
ポスト締結部２１は、図２に示すように、バッテリポスト１２が挿通するポスト挿通孔２１ａと、該ポスト挿通孔２１ａの一部を切り離した構造にするすり割り部２１ｂと、すり割り部２１ｂの間隔が狭まるように締め付けて当該ポスト締結部２１をバッテリポスト１２に固定する締結ねじ２１ｃと、を備えた構造である。
【００３３】
ヒューズユニット取付部２２は、図２に示すように、ポスト締結部２１と一体の導通板部２２ａに、スタッドボルト２２ｂを立設したものである。スタッドボルト２２ｂは、その中心軸線Ｃ３の延在方向が、ポスト締結部２１のポスト挿通孔２１ａの中心軸線Ｃ４の方向と平行となるように、設けられている。
【００３４】
図１２は、バッテリターミナル２０が、正常な取り付け向きでバッテリ１０のバッテリポスト１２に取り付けられた状態を示している。バッテリターミナル２０の正常な取り付け向きとは、図１２に示すように、ポスト挿通孔２１ａの中心とスタッドボルト２２ｂの中心とを結ぶ直線Ｌ２が、バッテリ１０の側面１６と直交する向きである。
【００３５】
バッテリ直付け型ヒューズユニット３０は、図１及び図２に示すように、ターミナル接続部３１と、樹脂製ハウジング３２と、を備えている。
【００３６】
ターミナル接続部３１は、ヒューズユニット取付部２２に締結されるターミナル接続導体３１ａと、該ターミナル接続導体３１ａを収容した樹脂製のハウジング部３１ｂと、を有している。
【００３７】
ハウジング部３１ｂは、樹脂製ハウジング３２と一体である。ハウジング部３１ｂは、ターミナル接続導体３１ａとヒューズユニット取付部２２との導通接続を妨げないように、ターミナル接続導体３１ａの周囲を覆っている。ターミナル接続部３１は、ターミナル接続導体３１ａがヒューズユニット取付部２２に締結されることで、バッテリターミナル２０と導通状態になり、バッテリターミナル２０を介してバッテリポスト１２に導通接続される。
【００３８】
本実施形態の場合、ハウジング部３１ｂは、図３に示すように、ターミナル接続導体３１ａの両側に垂下する一対の側壁部３１１によって、ターミナル接続導体３１ａの裏面側に、空隙部３１２を画成している。この空隙部３１２は、図１１に示すように、ヒューズユニット取付部２２が進入する空隙である。図１１に示すように、空隙部３１２の幅寸法ｗ（図３参照）は、空隙部３１２に進入してターミナル接続導体３１ａの裏面に重ねられたヒューズユニット取付部２２の両側に隙間ｓ１，ｓ２が残るように、ヒューズユニット取付部２２の幅寸法よりも大きく設定されている。この空隙部３１２においてヒューズユニット取付部２２の両側に確保される隙間ｓ１，ｓ２は、図１１に矢印Ｑ１で示すように、ヒューズユニット取付部２２との間の相対回転を許容する。
【００３９】
樹脂製ハウジング３２は、ターミナル接続導体３１ａに分岐接続される複数の接続端子やヒューズを収容している。
【００４０】
樹脂製ハウジング３２において、符号３２ａで示した部位は、ターミナル接続導体３１ａに分岐接続される複数の接続端子を収容した端子収容部である。端子収容部３２ａに収容される接続端子には、バッテリ１０から給電を受ける電線が接続される。また、符号３２ｂで示した部位は、ターミナル接続導体３１ａと接続端子との間に装備される複数のヒューズを収容した部位である。
【００４１】
複数のヒューズ及び接続端子を収容した樹脂製ハウジング３２は、ターミナル接続導体３１ａの端部から垂直に垂れた形状に装備されている。図１２に示したように、正常な取り付け向きでバッテリポスト１２に取り付けられたバッテリターミナル２０にバッテリ直付け型ヒューズユニット３０が適正に取り付けられたとき、バッテリ直付け型ヒューズユニット３０は、その一部である樹脂製ハウジング３２が、バッテリ１０の側面１６に沿って配置されて、バッテリ１０からの出っ張りを低減させる。
【００４２】
ヒューズブラケット４０は、バッテリ直付け型ヒューズユニット３０に取り付けられる。
このヒューズブラケット４０は、図４及び図５に示すように、ユニット支持部４１と、結合部材係合部４２と、を備えている。
【００４３】
ユニット支持部４１は、図４及び図８に示すように、バッテリ直付け型ヒューズユニット３０のターミナル接続部３１の両側が摺動可能に係合する一対の第１ガイド溝４１１を有している。第１ガイド溝４１１は、ターミナル接続部３１の両側がバッテリ１０の側面１６と直交する方向（図２及び図８に矢印Ｙで示す方向）に摺動可能に係合する溝である。
【００４４】
即ち、ユニット支持部４１は、一対の第１ガイド溝４１１にターミナル接続部３１の両側を係合させることで、バッテリ直付け型ヒューズユニット３０をバッテリ１０の側面１６と直交する方向に移動可能に支持する。
【００４５】
結合部材係合部４２は、図５及び図９に示すように、ブラケット結合部材５０に突設されたガイド板部５１が摺動可能に係合する一対の第２ガイド溝４２１を有している。一対の第２ガイド溝４２１は、ブラケット結合部材５０のガイド板部５１がバッテリ１０の側面１６に沿う方向（図２及び図９に矢印Ｘで示す方向）に移動可能に係合する溝である。
【００４６】
即ち、結合部材係合部４２は、ブラケット結合部材５０のガイド板部５１が一対の第２ガイド溝４２１に係合することで、バッテリ１０の側面１６に沿う方向に摺動可能にブラケット結合部材５０に結合される。
【００４７】
ブラケット結合部材５０は、ヒューズブラケット４０をバッテリ１０に結合する部材で、図６及び図７に示すように、ガイド板部５１と、バッテリ結合部５２と、を備える。
【００４８】
ガイド板部５１は、図２の矢印Ｘ方向に沿って延出した矩形の突片状である。このガイド板部５１は、図９に示すように、その両側縁が結合部材係合部４２の第２ガイド溝４２１と係合して、ヒューズブラケット４０をバッテリ１０の側面１６に沿う方向（図９の矢印Ｘ方向）に移動可能に支持する。
【００４９】
バッテリ結合部５２は、図１０に示すように、バッテリ１０の上方からバッテリ上面１３の凹凸である一対の取付孔１５に係合（嵌合）する一対の突起５２１を備えている。
【００５０】
ブラケット結合部材５０は、バッテリ結合部５２を構成する一対の突起５２１をバッテリ上面１３の一対の取付孔１５に嵌合させることで、バッテリ上面１３の面に沿う方向の移動が規制される。
【００５１】
以上に説明したヒューズブラケット４０及びブラケット結合部材５０は、バッテリ直付け型ヒューズユニット３０をバッテリターミナル２０に取り付ける前に、バッテリ直付け型ヒューズユニット３０に組み付けられる。そして、ヒューズブラケット４０及びブラケット結合部材５０を組み付けたバッテリ直付け型ヒューズユニット３０を、バッテリ１０の上方側からバッテリターミナル２０のヒューズユニット取付部２２に取り付ける際、ブラケット結合部材５０の一対の突起５２１をバッテリ上面１３の取付孔１５に係合させることで、バッテリ１０に対して所定位置にバッテリ直付け型ヒューズユニット３０が位置決めされる。
【００５２】
以上に説明した一実施形態のヒューズユニット取付構造では、バッテリターミナル２０に結合されるバッテリ直付け型ヒューズユニット３０は、該バッテリ直付け型ヒューズユニット３０に取り付けられるヒューズブラケット４０と、該ヒューズブラケット４０をバッテリ１０に結合するブラケット結合部材５０とによって、バッテリ１０に位置決めされる。そして、一実施形態のヒューズユニット取付構造では、図１３及び図１４に示すように、バッテリターミナル２０の取り付け向きが正常な取り付け向きから角度θ１の傾きを生じた状態になるとき、バッテリターミナル２０に接続されているバッテリ直付け型ヒューズユニット３０の移動は、ヒューズブラケット４０のユニット支持部４１とターミナル接続部３１との係合、及びブラケット結合部材５０のガイド板部５１とヒューズブラケット４０の第２ガイド溝４２１との係合、によって移動方向が規制される。
【００５３】
そのため、バッテリターミナル２０の傾きに伴うバッテリ直付け型ヒューズユニット３０の移動動作は、バッテリ１０の側面１６に対して、バッテリターミナル２０の取り付け向きが正常なときと同じ取り付け姿勢のまま、平行移動する動作になり、バッテリ直付け型ヒューズユニット３０がバッテリ１０の側面１６に干渉することが防止される。従って、バッテリ１０の側面１６との干渉でバッテリ直付け型ヒューズユニット３０が破損することを防止することができる。
【００５４】
また、一実施形態のヒューズユニット取付構造では、バッテリ１０に対するバッテリ直付け型ヒューズユニット３０の位置決めを、バッテリ直付け型ヒューズユニット３０に取り付けられるヒューズブラケット４０と、該ヒューズブラケット４０をバッテリ１０に結合するブラケット結合部材５０と、で行っており、バッテリ直付け型ヒューズユニット３０自体、或いはバッテリターミナル２０自体は、特に構造を変更せずに済む。従って、バッテリターミナル２０やバッテリ直付け型ヒューズユニット３０を新規に設計し直す必要がなく、バッテリ１０に対するバッテリ直付け型ヒューズユニット３０の干渉防止を，安価に実現することができる。
【００５５】
また、一実施形態のヒューズユニット取付構造では、ブラケット結合部材５０が係合するバッテリ上面１３の凹凸は、バッテリポスト１２の上を覆うポストカバーの取り付けのために従来よりバッテリ上面１３に装備されている取付孔１５である。即ち、ブラケット結合部材５０の取り付けのために、バッテリ１０に専用の係合構造を形成する必要がなく、既存のバッテリ１０に対して、何ら改造せずとも、本発明のヒューズユニット取付構造を適用して、バッテリ直付け型ヒューズユニット３０の干渉防止を図ることができる。
【００５６】
また、一実施形態のヒューズユニット取付構造では、ヒューズブラケット４０に装備されるユニット支持部４１及び結合部材係合部４２は、いずれも、一対のガイド溝で構成される単純な構造であり、ヒューズブラケット４０の構造の単純化を図ることができる。
【００５７】
また、ヒューズブラケット４０に装備されるユニット支持部４１は、バッテリ直付け型ヒューズユニット３０のターミナル接続部３１の両側を摺動可能に保持する一対の第１ガイド溝４１１で構成されており、バッテリ直付け型ヒューズユニット３０のターミナル接続部３１自体には、特別な加工をせずとも、バッテリ直付け型ヒューズユニット３０をバッテリ１０の側面１６と直交する方向に移動可能に支持することができる。そのため、既存のバッテリ直付け型ヒューズユニット３０に対しても、干渉防止を図ることができる。
【００５８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５９】
ここで、上述した本発明に係るヒューズユニット取付構造の実施形態の特徴をそれぞれ以下［１］〜［３］に簡潔に纏めて列記する。
【００６０】
［１］  バッテリ（１０）のバッテリポスト（１２）に締結されるバッテリターミナル（２０）に結合されてその一部が前記バッテリ（１０）の側面（１６）側に配置されるバッテリ直付け型ヒューズユニット（３０）に取り付けられるヒューズブラケット（４０）と、前記ヒューズブラケット（４０）を前記バッテリ（１０）に結合するブラケット結合部材（５０）と、を備え、
前記ヒューズブラケット（４０）は、前記バッテリ直付け型ヒューズユニット（３０）を前記バッテリ（１０）の前記側面（１６）と直交する方向に移動可能に支持するユニット支持部（４１）と、前記バッテリ（１０）の前記側面（１６）に沿う方向に移動可能に前記ブラケット結合部材（５０）と係合する結合部材係合部（４２）と、を備え、
前記ブラケット結合部材（５０）は、前記結合部材係合部（４２）と係合して前記ヒューズブラケット（４０）を前記バッテリ（１０）の前記側面（１６）に沿う方向に移動可能に支持するガイド板部（５１）と、前記バッテリポスト（１２）が配置される前記バッテリ（１０）のポスト配置部（１１）の周縁のバッテリ上面（１３）の凹凸（１５）に係合して前記バッテリ上面（１３）の面に沿う方向の移動が規制されるバッテリ結合部（５２）と、を備える
ことを特徴とするヒューズユニット取付構造。
【００６１】
［２］  前記バッテリ上面（１３）の前記凹凸は、前記バッテリポスト（１２）の上を覆うポストカバーの取り付けのために前記バッテリ上面（１３）に既設の取付孔であることを特徴とする上記［１］に記載のヒューズユニット取付構造。
【００６２】
［３］  前記ユニット支持部（４１）は、前記バッテリターミナル（２０）に結合される前記バッテリ直付け型ヒューズユニット（３０）のターミナル接続部（３１）の両側が前記バッテリ（１０）の前記側面（１６）と直交する方向に摺動可能に係合する一対の第１ガイド溝（４１１）であり、
前記結合部材係合部（４２）は、前記ブラケット結合部材（５０）に突設されたガイド板部（５１）が、前記バッテリ（１０）の前記側面（１６）に沿う方向に摺動可能に係合する一対の第２ガイド溝（４２１）であることを特徴とする上記［１］又は［２］に記載のヒューズユニット取付構造。
【符号の説明】
【００６３】
１０  バッテリ
１１  ポスト配置部
１２  バッテリポスト
１３  バッテリ上面
１５  取付孔（凹凸）
１６  側面
２０  バッテリターミナル
３０  バッテリ直付け型ヒューズユニット
３１  ターミナル接続部
４０  ヒューズブラケット
４１  ユニット支持部
４２  結合部材係合部
５０  ブラケット結合部材
５１  ガイド板部
５２  バッテリ結合部
４１１  第１ガイド溝
４２１  第２ガイド溝
【図１】
2015060810.tif 000003
【図２】
2015060810.tif 000004
【図３】
2015060810.tif 000005
【図４】
2015060810.tif 000006
【図５】
2015060810.tif 000007
【図６】
2015060810.tif 000008
【図７】
2015060810.tif 000009
【図８】
2015060810.tif 000010
【図９】
2015060810.tif 000011
【図１０】
2015060810.tif 000012
【図１１】
2015060810.tif 000013
【図１２】
2015060810.tif 000014
【図１３】
2015060810.tif 000015
【図１４】
2015060810.tif 000016
【図１５】
2015060810.tif 000017
【図１６】
2015060810.tif 000018
【図１７】
2015060810.tif 000019
【図１８】
2015060810.tif 000020